(57)【要約】【課題】廃棄時に封入フラップの破断部が確実に破断して容易に解体することができるカートンを提供する。【解決手段】２組の対向壁部４，６及び５，７と、一対の封入壁部とからなるカートンにおいて、前記対向壁部の１組５，７の両端に連設された一対の封入フラップ１０ａ，１１ａ及び１０ｂ，１１ｂは、前記対向壁部のもう１組の一方の壁部４の両端に連設された前記下側封入片８，９の破断部との接着領域４３を取り囲む破断用スリット３１を備え、該破断用スリット３１は、第１スリット３２と、該第１スリット３２よりも前記下側封入片８，９の前記解体用切取線４２側に位置する第２スリット３３とに分割され、該第２スリット３３は、先端部側スリット３７と、折曲端部側スリット３８と、第２中央スリット３９とに分割され、２本の延伸スリット４０，４１が、前記第２スリット３３の外方に沿ってそれぞれ延伸する。【選択図】図２
2011079558.tif 000002
【特許請求の範囲】
【請求項１】
２組の対向壁部と、
前記対向壁部の１組の両端に連設された一対の封入フラップと、前記対向壁部のもう１組の両端に連設された上側封入片及び下側封入片とからなり、前記一対の封入フラップに前記下側封入片を重ね合わせて接着するとともに、前記下側封入片に前記上側封入片を重ね合わせて接着する一対の封入壁部とからなるカートンにおいて、
前記下側封入片は、前記上側封入片の先端部の外方に沿って形成される解体用切取線を備え、
前記解体用切取線によって離脱する破断部と前記封入フラップとが接着され、
前記封入フラップは、前記下側封入片の破断部との接着領域を取り囲む破断用スリットを備え、
該破断用スリットは、第１スリットと、該第１スリットよりも前記下側封入片の前記解体用切取線側で延在する第２スリットとに分割され、
該第２スリットは、前記封入フラップの先端部側で延在する先端部側スリットと、前記封入フラップの折曲端部側で延在する折曲端部側スリットと、該先端部側スリットと該折曲端部側スリットとの間を延在する中央スリットとに分割され、
互いに隣接する前記第２スリットの先端部側スリットの端部と前記中央スリットの端部のうちいずれか一方から、第１延伸スリットが、前記第２スリットの外方に沿って延伸するとともに、互いに隣接する前記第２スリットの前記折曲端部側スリットの端部と前記中央スリットの端部のうちいずれか一方から、第２延伸スリットが、前記第２スリットの外方に沿って延伸することを特徴とする、カートン。
【請求項２】
前記第１スリットは、前記封入フラップの先端部側と折曲端部側でそれぞれ対称状に延在する一対の端部側スリットと中央スリットとに分割され、
前記一対の端部側スリットは、前記第２スリットの前記先端部側スリット及び前記折曲端部側スリットより開始する継ぎ目の切断が到達できる範囲を内方及び外方に拡大するように互いに乖離する方向へ略円弧状に延在してから、前記第１スリットの中央スリットに向かって互いに接近しながら延在することを特徴とする、請求項１に記載のカートン。
【請求項３】
前記第１スリットの中央スリットは、前記一対の端部側スリットより前記下側封入片の先端部側に位置して、前記一対の端部側スリットより開始する継ぎ目の切断が到達できる範囲を内方及び外方に拡大するように前記下側封入片の先端部に沿って延在することを特徴とする、請求項２に記載のカートン。
【発明の詳細な説明】
【技術分野】
【０００１】
本発明は、カートンに関する。
【背景技術】
【０００２】
従来から、廃棄時に使用済みのものを解体できるように構成された箱体が、公知のものとして多数存在する。
【０００３】
例えば、特許文献１では、底面側端面パネルと重ならないように形成した端面フラップの破断領域と上面側端面パネルとを貼り合わせた紙カートンが開示されている。かかる構成の紙カートンを解体する場合、上面側端面パネルを展開することで、破断領域を囲むミシン線を破断する。しかしながら、ミシン線に適当な切れ目が入らずに、破断領域が底面側端面パネルに残存することがある。このような場合には、接着剤の接着力が簡易な解体を阻害する要因となり、余計な力を使って解体しなければならず、力の弱い者にとっては解体が困難な構成となっている。
【先行技術文献】
【特許文献】
【０００４】
【特許文献１】特開２００７−２７６８６２号公報
【発明の概要】
【発明が解決しようとする課題】
【０００５】
したがって、本発明は、廃棄時に封入フラップの破断部が確実に破断して容易に解体することができるカートンを提供することを課題とする。
【課題を解決するための手段】
【０００６】
かかる課題を解決するための手段として、本発明は、２組の対向壁部と、前記対向壁部の１組の両端に連設された一対の封入フラップと、前記対向壁部のもう１組の両端に連設された上側封入片及び下側封入片とからなり、前記一対の封入フラップに前記下側封入片を重ね合わせて接着するとともに、前記下側封入片に前記上側封入片を重ね合わせて接着する一対の封入壁部とからなるカートンにおいて、前記下側封入片は、前記上側封入片の先端部の外方に沿って形成される解体用切取線を備え、前記解体用切取線によって離脱する破断部と前記封入フラップとが接着され、前記封入フラップは、前記下側封入片の破断部との接着領域を取り囲む破断用スリットを備え、該破断用スリットは、第１スリットと、該第１スリットよりも前記下側封入片の前記解体用切取線側で延在する第２スリットとに分割され、該第２スリットは、前記封入フラップの先端部側で延在する先端部側スリットと、前記封入フラップの折曲端部側で延在する折曲端部側スリットと、該先端部側スリットと該折曲端部側スリットとの間を延在する中央スリットとに分割され、互いに隣接する前記第２スリットの先端部側スリットの端部と前記中央スリットの端部のうちいずれか一方から、第１延伸スリットが、前記第２スリットの外方に沿って延伸するとともに、互いに隣接する前記第２スリットの前記折曲端部側スリットの端部と前記中央スリットの端部のうちいずれか一方から、第２延伸スリットが、前記第２スリットの外方に沿って延伸する。
【０００７】
前記第１スリットは、前記封入フラップの先端部側と折曲端部側でそれぞれ対称状に延在する一対の端部側スリットと中央スリットとに分割され、
前記一対の端部側スリットは、前記第２スリットの前記先端部側スリット及び前記折曲端部側スリットより開始する継ぎ目の切断が到達できる範囲を内方及び外方に拡大するように互いに乖離する方向へ略円弧状に延在してから、前記第１スリットの中央スリットに向かって互いに接近しながら延在するのが好ましい。
【０００８】
前記第１スリットの中央スリットは、前記一対の端部側スリットより前記下側封入片の先端部側に位置して、前記一対の端部側スリットより開始する継ぎ目の切断が到達できる範囲を内方及び外方に拡大するように前記下側封入片の先端部に沿って延在するのが好ましい。
【発明の効果】
【０００９】
本発明によれば、上側封入片の展開時に、第２スリットと各延伸スリットとの間に形成される接続片が、破断部とともに展開動作に追随して、上側封入片による破断部の引き上げを一定程度まで補助する。その結果、切断が比較的困難な第２スリットの継ぎ目を容易に切断することができるだけでなく、切断に必要な力が他の継ぎ目にも効果的に加わり、破断部を封入フラップから確実に離脱させることができる。
【００１０】
また、継ぎ目の切断が多少ずれたとしても連結すべきスリットに到達させることができ、破断部が封入フラップに残存することがなく、余計な力を使わなくても、カートンを解体することができる。
【図面の簡単な説明】
【００１１】
【図１】本発明の実施形態に係るカートンの斜視図である。
【図２】図１のカートンの展開図である。
【図３】図１のカートンの組立方法を示す説明図である。
【図４】下方封入片に対する封入フラップの接着領域を示す破断用スリットの部分拡大図である。
【図５】図１のカートンの解体方法を示す説明図である。
【図６】第１接続片と第２接続片の破断前後の状態を示す封入フラップの破断用スリットの部分拡大図である。
【発明を実施するための形態】
【００１２】
以下、添付の図面を参照しながら、本発明を実施するための一例を示すこととする。図１は、本発明の実施形態に係るカートン１を示している。カートン１は、図２に示すように、カートン用の板紙を打ち抜いたブランク２を組み立てて、略直方体状に構成したものである。
【００１３】
ブランク２は、図２に示すように、概略、のり付けフラップ３と、上壁部４と、後壁部５と、底壁部６と、前壁部７と、２つの上側封入片８，９と、２組の一対の封入フラップ１０ａ，１０ｂ及び１１ａ，１１ｂと、２つの下側封入片１２，１３と、折曲部１４〜２５と、摘み用打ち抜き孔２６と、一対の開封用切取線２７，２８と、開閉用谷折り線２９とからなる。
【００１４】
のり付けフラップ３は、折曲部１４を形成した上壁部５の長辺折曲端部に連設され、折曲部１４より略台形状に突出する。摘み用打ち抜き孔２６は、のり付けフラップ３の先端部側の中央に形成される。一対の開封用切取線２７，２８は、のり付けフラップ３の領域内では、該摘み用打ち抜き孔２６の左右両側より、折曲部１４に対して平行にわずかに延在してから垂直方向にもわずかに延在し、さらに、折曲部１４の手前まで外方へ傾斜しながら延在した後、折曲部１４に対して垂直方向にわずかに延在して、折曲部１４と交差する。
【００１５】
上壁部４は、折曲部１７を形成した後壁部５の長辺折曲端部に連設され、折曲部１４〜１７により矩形状に規定される。一対の開封用切取線２７，２８は、のり付けフラップ３より連続して延在し、上壁部４の領域内では、折曲部１４より折曲部１７手前の開閉用谷折り線２９の各端部まで、折曲部１７に対して垂直方向に延在する。開閉用谷折り線２９は、各開封用切取線２７，２８の上壁部４側の端部の間を、折曲部１７に対して平行に延在する。
【００１６】
後壁部５は、折曲部２０を形成した底壁部６の長辺折曲端部に連設され、折曲部１７〜２０により矩形状に規定される。
【００１７】
底壁部６は、折曲部２３を形成した前壁部７の長辺折曲端部に連設される。底壁部６は、上壁部４と同一形状で、折曲部２０〜２３により矩形状に規定される。
【００１８】
前壁部７は、後壁部５と同一形状の矩形状に構成される。前壁部７は、先端部寄りの中央に形成された係止用スリット３０を備える。
【００１９】
左右両側の封入壁部の上側封入片８，９は、折曲部１５，１６を形成した上壁部４の短辺折曲端部にそれぞれ連設され、折曲部１５，１６より略台形状にそれぞれ突出する。
【００２０】
左側の封入壁部の一対の封入フラップ１０ａ，１０ｂは、折曲部１８，２４を形成した後壁部５の短辺折曲端部にそれぞれ連設され、折曲部１８，２４より略台形状にそれぞれ突出する。右側の封入壁部の一対の封入フラップ１１ａ，１１ｂは、折曲部１９，２５を形成した前壁部７の短辺折曲端部にそれぞれ連設され、折曲部１９，２５より略台形状にそれぞれ突出する。前記一対の封入フラップ１０ａ，１０ｂ及び１１ａ，１１ｂは、それぞれ、破断用スリット３１を備える。破断用スリット３１は、下側封入片１２，１３の先端部側に位置する第１スリット３２と、下側封入片１２，１３の切取線側に位置する第２スリット３３とに分割されている。
【００２１】
第１スリット３２は、一対の端部側スリット３４，３５と、第１中央スリット３６とに分割されている。一対の端部側スリット３４，３５は、封入フラップ１０ａ，１０ｂ，１１ａ，１１ｂの先端部側と折曲端部側でそれぞれ対称状に延在する。一対の端部側スリット３４，３５は、第２スリット３３の両端部より内方の位置から外方へ略円弧状に延在して、後述の第２スリット３３の先端部側スリット３７及び折曲端部側スリット３８より開始する継ぎ目の切断が到達できる範囲を内方及び外方に拡大し、第１中央スリット３６に向かって互いに接近しながら延在する。第１中央スリット３６は、一対の端部側スリット３４，３５より下側封入片１２，１３の先端部側に位置して、下側封入片１２，１３の先端部に沿って略円弧状に延在し、一対の端部側スリット３４，３５より開始する継ぎ目の切断が到達できる範囲を内方及び外方に拡大する。ここで、「継ぎ目」とは、スリットを分割する中断部分を言う。
【００２２】
第２スリット３３は、封入フラップ１０ａ，１０ｂ，１１ａ，１１ｂの先端部側で延在する先端部側スリット３７と、封入フラップ１０ａ，１０ｂ，１１ａ，１１ｂの折曲端部側で延在する折曲端部側スリット３８と、第２中央スリット３９とに分割されている。先端部側スリット３７は、第１スリット３２の端部側スリットの一方３４と一定の間隔をあけた位置から、第２中央スリット３９の一端に向かって略円弧状に延在する。先端部側スリット３７には、第１延伸スリット４０が接続されている。第１延伸スリット４０は、第２中央スリット３９の一端と隣接する先端部側スリット３７の端部から第２中央スリット３９の外方に沿って略円弧状に延在する。第２中央スリット３９は、先端部側スリット３７と折曲端部側スリット３８との間を略円弧状に延在する。第２中央スリット３９には、第２延伸スリット４１が接続されている。第２延伸スリット４１は、折曲端部側スリット３８と隣接する第２中央スリット３９の他端から折曲端部側スリット３８の外方に沿って略円弧状に延伸する。折曲端部側スリット３８は、第１スリット３２の端部側スリットの他方３５と一定の間隔をあけた位置から、第２中央スリット３９の他端に向かって略円弧状に延在する。
【００２３】
本実施形態に係るカートン１の場合、破断用スリット３１の継ぎ目は、０．１ｍｍ〜５ｍｍであるのが好ましい。次に、各延伸スリット４０，４１は、第２スリット３３の外方に０．１ｍｍ〜５ｍｍの間隔をあけて延伸するのが好ましい。また、各延伸スリット４０，４１は、１．０ｍｍ〜２０．０ｍｍの長さで、第２スリット３３の外方に沿って延伸するのが好ましい。
【００２４】
左右両側の封入壁部の下側封入片１２，１３は、折曲部２１，２２を形成した底壁部６の短辺折曲端部にそれぞれ連設され、折曲部２１，２２より略台形状にそれぞれ突出する。下側封入片１２，１３は、上側封入片８，９の先端部の外方に沿って形成される解体用切取線４２を備える。解体用切取線４２は、両側端部から中央付近まで下側封入片１２，１３の先端部に沿って延在し、かつ、中央で折曲端部側に向かって略半円状に湾曲する。
【００２５】
次に、本実施形態に係るカートン１の組立方法及び使用方法について説明する。
【００２６】
図３は、本実施形態に係るカートン１の組立方法を示している。図４は、下方封入片１２，１３に対する封入フラップ１０ａ，１０ｂ，１１ａ，１１ｂの接着領域４３を示している。折曲部２３，２０で前壁部７及び後壁部５を垂直方向に折り曲げて、起立させる。次に、折曲部１８，１９及び２４，２５で一対の封入フラップ１０ａ，１０ｂ及び１１ａ，１１ｂを内側方向へ折り曲げる。図４に示すように、破断用スリット３１で取り囲まれた接着領域４３に接着剤を塗布する。図３（ａ）に示すように、この接着領域４３と、折曲部２１，２２で起立させた状態の下側封入片１２，１３の破断部４５とを貼り合わせて収容空間を形成し、内容物を充填する。内容物の充填後、のり付けフラップ３の先端部に接着剤を塗布してから、図３（ｂ）に示すように、前壁部７と、折曲部１４で折り曲げたのり付けフラップ３とを貼り合わせる。さらに、下側封入片１２，１３の破断部４５に接着剤を塗布してから、該破断部４５と、折曲部１５，１６で折り曲げた上側封入片８，９の先端部とを貼り合わせれば、本実施形態に係るカートン１の組立作業が完了する。
【００２７】
本実施形態に係るカートンを使用する場合には、摘み用打ち抜き孔２６にそえた親指で上方側に力を加えて、一対の開封用切取線２７，２８の一部を切断する。さらに、開封用切取線２７，２８の残りを切断して、取り出し口と蓋フラップとを形成し、収納空間に収納された内容物を取り出す。開封したカートン１を保管する場合には、蓋フラップの摘み部４４を前壁部７の係止用スリット３０に差し込み、取り出し口を蓋フラップで閉じた状態にして収納空間を封止する。
【００２８】
次に、本実施形態に係るカートン１の解体方法について説明する。
【００２９】
図５は、本実施形態に係るカートン１の解体方法を示したものである。収納空間に収納された全ての内容物を取り出し口より取り出した場合、図５に示すように、左側封入壁部の解体用切取線４２中央の湾曲箇所にそえた親指を収納空間側へ押し込み、解体用切取線４２の一部を切断する。さらに、上側封入片８の先端部と下側封入片１２の切断箇所に親指をそえながら外方に力を加えて上側封入片８を展開すると、解体用切取線４２と破断用スリット３１の継ぎ目の切断によって、各破断部４５，４６が、下側封入片１２及び一対の封入フラップ１０ａ，１０ｂから離脱する。右側の封入壁部についても、上記展開作業と同様の手順で上側封入片１３を展開して、各破断部４５，４６を下側封入片１２及び一対の封入フラップ１１ａ，１１ｂから離脱させる。さらに、下側封入片１２，１３の残存部分と一対の封入フラップ１０ａ，１０ｂ及び１１ａ，１１ｂを展開する。この状態で、４つの壁部４〜７のうち隣接するいずれか２つの壁部を押圧してカートン１を折り畳めば、本実施形態に係るカートン１の解体作業が完了する。
【００３０】
図６は、第１接続片４７及び第２接続片４８の破断前後の状態を示したものである。上側封入片８，９を展開すると、一対の封入フラップ１０ａ，１０ｂ，１１ａ，１１ｂの破断部４６は、第２スリット３３の第２中央スリット３９側の部分から離脱しようとする。この時、図６（ａ）に示すように、第１接続片４７と第２接続片４８は、破断部４６とともに展開動作に追随しながら、上側封入片８，９による破断部４６を引き上げやすくする。さらに上側封入片８，９を展開すると、破断部４６と各接続片４７，４８との接続箇所である継ぎ目が切断し、第１接続片４７と第２接続片４８は、破断部４６から離脱して、展開動作に追随しなくなる。このように、切断が比較的困難な第２スリット３３の継ぎ目を容易に切断することができるだけでなく、破断部４６と各接続片４７，４８が切断した時には、上側封入片８，９が破断部４６を封入フラップ１０ａ，１０ｂ，１１ａ，１１ｂから一定程度引き上げているので、切断に必要な力が他の継ぎ目にも効果的に加わって、破断部４６を封入フラップ１０ａ，１０ｂ，１１ａ，１１ｂから確実に離脱させることができる。その結果、接着剤の接着力による抵抗をそれ程受けずに、本実施形態に係るカートン１を解体することができる。
【００３１】
また、本実施形態に係るカートン１では、第１スリット３２と第２スリット３３との間の継ぎ目及び第１スリット３２の継ぎ目については、継ぎ目の切断が到達できる範囲を内方及び外方に拡大しているので、切断による切れ目の軌道が多少ずれたとしても連結すべきスリットに到達して、破断部４６を封入フラップ１０ａ，１０ｂ，１１ａ，１１ｂから確実に離脱させる。
【符号の説明】
【００３２】
１  カートン
２  ブランク
３  のり付けフラップ
４  上壁部
５  後壁部
６  底壁部
７  前壁部
８，９  上側封入片
１０ａ，１１ａ  一対の封入フラップ
１０ｂ，１１ｂ  一対の封入フラップ
１２，１３  下側封入片
１４〜２５  折曲部
２６  摘み用打ち抜き孔
２７，２８  一対の開封用切取線
２９  開閉用谷折り線
３０  係止用スリット
３１  破断用スリット
３２  第１スリット
３３  第２スリット
３４，３５  一対の端部側スリット
３６  第１中央スリット
３７  先端部側スリット
３８  折曲端部側スリット
３９  第２中央スリット
４０  第１延伸スリット
４１  第２延伸スリット
４２  解体用切取線
４３  接着領域
４４  摘み部
４５  下側封入片の破断部
４６  封入フラップの破断部
４７  第１接続片
４８  第２接続片
【図１】
2011079558.tif 000003
【図２】
2011079558.tif 000004
【図３】
2011079558.tif 000005
【図４】
2011079558.tif 000006
【図５】
2011079558.tif 000007
【図６】
2011079558.tif 000008